(57)【特許請求の範囲】
【請求項１】
一方の端部が開放端で、他方の端部が吐出口または針差込み穴を有するシリンダと、
当該シリンダに開放端側から内挿されるプランジャと、
当該プランジャの先端にあって前記シリンダを密閉しかつ当該シリンダ内を摺動するガスケットと、
前記シリンダの軸方向の略中間部における外周面に設けられ、前記プランジャを前記シリンダ内に押入する際に指をかけるための指用のつばと、
前記プランジャにおける前記ガスケットとは逆側の先端に設けられ、前記プランジャを前記シリンダ内に押入する際に親指により押圧される親指あてと、
前記シリンダの開放端における内周面に形成された突条とを備えており、
前記シリンダの一方の端部から他方の端部までの長さが、当該シリンダの外径の３倍以下であり、
前記プランジャを前記シリンダ内に押入して、前記吐出口または針差込み穴側の端部に前記ガスケットを当接させたときに、前記プランジャが前記シリンダ内に完全に収容され、前記親指あての外周面と前記突条とが係合するようになっていることを特徴とするプレフィルドシリンジ。
【請求項２】
前記シリンダが、前記開放端側から前記吐出口または針差込み穴の先端までに亘って連続する隔壁によって、その周方向において複数の室に仕切られてなるものである請求項１記載のプレフィルドシリンジ。
【発明の詳細な説明】
【０００１】
【発明の属する技術分野】
本発明は、コンパクトで収納性および取扱性に優れたプレフィルドシリンジに関する。
【０００２】
【従来の技術および発明が解決しようとする課題】
一般に、点滴等の用に供する薬液は、可撓性を備えた輸液容器、あるいは輸液ボトル等に収容した状態で市販される。一方、ビタミン剤や抗生物質等の薬液は、１回の点滴に投与される量が数ｍＬ程度と極めて少量であることから、注射器に充填した状態で供給されており、必要に応じて輸液容器等の収容液に混合した上で使用されている。
【０００３】
このような薬液をあらかじめ充填した注射器（プレフィルドシリンジ）としては、例えば図７および図８に示すように、軸方向ｘに細長いシリンダ（外筒）８１内に薬液を充填し、先端にガスケット８３を備えたプランジャ（内筒）８２をシリンダ８１に内挿したものが知られている。
しかしながら、プレフィルドシリンジ８０は、シリンダ８１内にあらかじめ薬液が充填されていることから、プランジャ８２をシリンダ８１内に押入した状態で保存することができない。しかも、プランジャ８２は、通常、シリンダ８１の全長よりも長い部材である。従って、プレフィルドシリンジ８０の全長が極めて長くなることが避けられず、嵩張って保存、収納する際などに不便であるという問題がある。なお、図８中、符号８６は指用つばを、符号８７は親指あてを、それぞれ示す。
【０００４】
また、近年、医療分野においては、特に感染症等の防止を目的として、シリンジや注射針の再使用が厳しく制限されているが、図７および図８に示すような従来のプレフィルドシリンジ８０では、使用後のシリンダ８１からプランジャ８２を自在に抜き差しできることから、一度使用したシリンジが再使用に供されるおそれがある。
さらに、従来のプレフィルドシリンジ８０において、プランジャ８２の先端に設けられているガスケット８３は、通常ゴム等の弾性体からなるものであって、プランジャ８２の押入によってシリンダ８１の先端（吐出口８５側）の内壁に圧接させたときには、ガスケット８３自体の弾性によってプランジャ８２が逆戻りするおそれがある。このようにプランジャ８２が逆戻りしたときには、プランジャ８２の押入によって吐出口８５から排出されたプレフィルドシリンジ８０の内溶液等がシリンジ８０内に逆流してしまうという問題を生じるおそれがある。
【０００５】
そこで、本発明の主たる目的は、全長が短くコンパクトであって、好ましくは取扱性（操作性）が良好なプレフィルドシリンジを提供することである。
また、本発明の他の目的は、プランジャを押入して内容液を排出した後において、当該プランジャを引抜いてシリンジを再利用することが困難なプレフィルドシリンジを提供することである。
本発明のさらに他の目的は、プランジャを押入して内容液を排出した後において、当該内容液等が逆流することのないプレフィルドシリンジを提供することである。
【０００６】
【課題を解決するための手段および発明の効果】
上記課題を解決するための本発明に係るプレフィルドシリンジは、一方の端部が開放端で、他方の端部が吐出口または針差込み穴を有するシリンダと、当該シリンダに開放端側から内挿されるプランジャと、当該プランジャの先端にあって前記シリンダを密閉しかつ当該シリンダ内を摺動するガスケットと、前記シリンダの軸方向の略中間部における外周面に設けられ、前記プランジャを前記シリンダ内に押入する際に指をかけるための指用のつばと、前記プランジャにおける前記ガスケットとは逆側の先端に設けられ、前記プランジャを前記シリンダ内に押入する際に親指により押圧される親指あてと、前記シリンダの開放端における内周面に形成された突条とを備えており、前記シリンダの一方の端部から他方の端部までの長さが、当該シリンダの外径の３倍以下であり、前記プランジャを前記シリンダ内に押入して、前記吐出口または針差込み穴側の端部に前記ガスケットを当接させたときに、前記プランジャが前記シリンダ内に完全に収容され、前記親指あての外周面と前記突条とが係合するようになっていることを特徴とする。
【０００７】
本発明によれば、プレフィルドシリンジの全長を短くしてコンパクトなものとすることができ、たとえシリンダ内に薬液が充填された使用前の状態であっても、従来のプレフィルドシリンジように嵩張ることがなく、保存、収納時などにおける不便を軽減、解消することができる。
【０００８】
本発明のプレフィルドシリンジは、前記シリンダが、当該シリンダの軸方向における略中間部の外周面に、前記プランジャを前記シリンダ内に押入する際に指をかけるための指用のつばを備える。本発明のプレフィルドシリンジはシリンダの全長が短いため、従来のプレフィルドシリンジのように、指を架けるつばがシリンダの開放端に設けられていると、プランジャを押入する際の取扱性・操作性が低下するおそれがある。これに対し、指用のつばをシリンダの軸方向における略中間部に設けられている場合には、シリンダの全長が短いにも拘わらず、さらにはプランジャがシリンダ内に完全に収容されるものであるにも拘わらず、薬液の排出時等における取扱性・操作性が損なわれることがない。
【０００９】
本発明のプレフィルドシリンジは、前記シリンダが、前記開放端側から前記吐出口または針差込み穴の先端までに亘って連続する隔壁によって、その周方向において複数の室に仕切られてなるものであるのが好ましい。
２種の薬液を分離収容するプレフィルドシリンジとしては、例えば図９に示すようなものが知られている（特開平８−２２４３０５号公報参照）。このプレフィルドシリンジ９０は、シリンダ９１の内部がストッパ９３ａによって２つの室９１ａ，９１ｂに分離されており、プランジャ９２（およびガスケット９３）の押入に連動してストッパ９３ａを軸方向ｘに移動させたときに、シリンジ９１の内径が部分的に太くなっているバイパス９４部分でそれぞれの室９１ａ，９１ｂに収容されている薬液が混合するようになっている。なお、図９中、符号９５は吐出口を、符号９６は指用つばを、符号９７は親指あてを、それぞれ示す。
【００１０】
しかしながら、上記プレフィルドシリンジ９０では、２種の薬液を分離収容する室９１ａ，９１ｂがシリンダ９１内にて縦列に（プレフィルドシリンジ９０の軸方向ｘに並んで）配置されていることから、シリンダ９１とプランジャ９２とをあわせるとプレフィルドシリンジの全長が極めて長くなってしまう。従って、シリンジが嵩張ってしまい、保存、収納等に際して不便という問題が顕著となる。
【００１１】
これに対し、前述の、シリンダ内部がその周方向において複数の室に仕切られているプレフィルドシリンジ（以下、「複室分離型プレフィルドシリンジ」という。）によれば、１のシリンジ内に２以上の薬液を分離した状態で収容することができ、しかも、２以上の室が上記公報のように縦列ではなく、並列に（シリンジの円周方向に並んで）配置されていることから、シリンジが長くなりすぎるのを防止することができ、嵩張ることがない。従って、保存、収納時などに不便であるといった問題を軽減することができる。
【００１２】
本発明のプレフィルドシリンジは、前記プランジャが、前記シリンダ内に押入したときに当該シリンダ内に完全に収容される。この場合、プランジャの長さが、当該プランジャを押入した状態でシリンダ内に完全に収容される程度に短いことから、プレフィルドシリンジをより一層コンパクトなものとすることができる。しかも、プランジャがシリンジ内に完全に収容されることで、プレフィルドシリンジの使用後にシリンダからプランジャを引抜くことが困難になる。それゆえ、シリンジの再利用を防止することができる。
【００１３】
なお、プランジャがシリンダ内に完全に収容される場合において、指用のつばがシリンダの開放端に設けられていると、プランジャを押入する際の取扱性・操作性が低下するおそれがある。しかしながら、前述の場合と同様に、指用のつばをシリンダの軸方向における略中間部に設けることによって、たとえプランジャがシリンダ内に完全に収容される場合であっても、プランジャ押入時における取扱性・操作性が損なわれることがない。この点については、前述の複室分離型プレフィルドシリンジにおいても同様である。
【００１４】
本発明のプレフィルドシリンジは、前記プランジャが、前記シリンダ内に押入して前記吐出口または針差込み穴側の端部に前記ガスケットを当接させたときに、前記シリンダ内にて繋止される。この場合、プランジャの先端に設けられているガスケットが弾性反発することによって、プランジャをシリンダ内に完全に押入し終えた後で逆戻りしようとするのを防止することができる。それゆえ、内容液等の逆流が生じるのを防止できる。
【００１５】
また、プレフィルドシリンジの使用後にシリンダからプランジャを引抜くことがより一層困難になることから、シリンジの再利用をより一層確実に防止することができる。
【００１６】
【発明の実施の形態】
次に、本発明に係るプレフィルドシリンジについて、図面を参照しつつ詳細に説明する。
本発明に係るプレフィルドシリンジには、例えば図１〜図４に示す実施形態に係るもの（単室型プレフィルドシリンジ）と、図５および図６に示す実施形態に係るもの（複室分離型プレフィルドシリンジ）との、大きく分けて２種の実施形態が挙げられる。
【００１７】
そこで、以下、前記２種の実施形態について個々に説明する。
〔単室型プレフィルドシリンジ〕
本発明に係るプレフィルドシリンジ（単室型）は、例えば図１および図２に示すように、
一方の端部が開放端１４で、他方の端部が吐出口１５（または針差込み穴）を有するシリンダ１１と、
シリンダ１１に開放端１４側から内挿されるプランジャ１２と、
プランジャ１２の先端にあってシリンダ１１を密閉しかつシリンダ１１内を摺動するガスケット１３と、
を備えており、かつ、
シリンダ１１の一方の端部から他方の端部までの長さが、シリンダ１１の外径の３倍以下である
ことを特徴とするものである。
【００１８】
（シリンダ）
プレフィルドシリンジ１０のシリンダ（外筒）１１については、その一方の端部から他方の端部までの長さＬが、シリンダ１１の外径Ｄに対して３倍以下であることが求められる（図２(d) 参照）。
前記長さＬを前記外径Ｄに対して３倍以下に調整することによって、プレフィルドシリンジ１０の全長を短くしてコンパクトなものとすることができる。従って、たとえシリンダ１１内に薬液が充填されている使用前の状態であっても、従来のプレフィルドシリンジように嵩張ることがなく、保存、収納時などにおける不便を軽減、解消することができる。
【００１９】
前記長さＬと前記外径Ｄとの比については、前記範囲を満足するほかは特に限定されるものではなく、前記の範囲内において、プレフィルドシリンジ１０に収容される薬液の量やプレフィルドシリンジ１０の操作性等に応じて適宜設定すればよい。
前記長さＬと前記外径Ｄとの比は、これに限定されるものではないが、プレフィルドシリンジの操作性や収容される薬液の量を考慮すれば、前記範囲の中でも特に、前記長さＬが前記外径Ｄに対して０．５〜２．５倍であるのが好ましい。例えば、プレフィルドシリンジの薬液収容量が５ｍＬ程度である場合には、前記長さＬを２．５ｃｍ程度に、前記外径Ｄを２．０ｃｍ程度に調整することができる。このように調整することによって、良好な操作性を維持しつつ、かつシリンダの薬液収容量やガスケットおよびプランジャを保持するスペースを十分に確保しつつ、シリンジをコンパクトなものとすることができる。
【００２０】
図３および図４は、本発明に係る単室型プレフィルドシリンジの設計変更例を示す縦断面図である。
図３に示すプレフィルドシリンジ１０’と図４に示すプレフィルドシリンジ１０''は、いずれも、プランジャ１２’をシリンダ１１’，１１''内に押入したときに、当該プランジャ１２’がシリンダ１１’，１１''内に完全に収容されるように設計されている。
【００２１】
このように設計されていることによって、プレフィルドシリンジ１０’を使用した後でシリンダ１１’，１１''からプランジャ１２’，１２''を引抜くことが困難となることから、シリンジ１０’，１０''の再利用を防止することができる。また、この場合、プランジャ１２’，１２''もシリンダ１１’，１１''内に完全に収容される程度に短くなっていることから、使用前の状態においても、プレフィルドシリンジ１０’，１０''がより一層短く、コンパクトなものとなる。
【００２２】
さらに、図３および図４に示す設計変更例においては、シリンダ１１’，１１''の開放端１４近傍における内周面に繋止用の突条１８が設けられており、プランジャ１２’を最後まで押入したときに、親指あて１７’の外周面と前記繋止用の突条１８とが係合するようになっている。
プランジャ１２’の先端に設けられているガスケット１３は、前述のように、通常ゴム等の弾性体からなるものであるため、シリンダ１１’，１１''の先端（吐出口１５側）の内壁にこれを圧接させると、ガスケット１３自体の弾性によってプランジャ１２’が逆戻りするおそれがある。
【００２３】
プランジャ１２’が逆戻りすると、吐出口１５においてシリンジの内容液等が逆流するおそれがあるため、かかる事態は避けなければならないが、図３および図４に示す設計変更例では、プランジャ１２’の親指あて１７’とシリンダ１１’，１１''の外周面とが係合して、プランジャ１２’がシリンダ１１’，１１''内に繋止されることから、プランジャ１２’およびガスケット１３の逆戻りが防止されており、それゆえ、シリンジの内容液等が逆流するという事態を避けることができる。
【００２４】
繋止用の突条１８は、プランジャ１２’の親指あて１７’と係合するものであれば、特に限定されるものではない。従って、例えばシリンダ１１’，１１''の内周面に沿って連続する突条でなくてもよく、当該内周面において数ヶ所設けられている突起であってもよい。シリンダ１１''の開放端１４における内周は、例えば図４に示すように、親指あて１７’の外径に応じて適宜設計すればよい。
プレフィルドシリンジを使用する際には、すなわちプランジャをシリンダ内に押入する際には、通常、シリンダの開放端に設けられている指用つばに指をかけ、プランジャ先端の親指あてを押圧する操作がなされる。ここで、図１〜図４に示すプレフィルドシリンジ（10，10’，10''）においては、いずれも、指用つば１６がシリンダ（11，11’，11''）の開放端１４に設けられているのではなく、軸方向ｘにおける略中間部に設けられている。
【００２５】
図１〜図４に示すプレフィルドシリンジ（10，10’，10''）は、いずれも、シリンダ（11，11’，11''）の全長が短く、特に図３および図４に示すシリンジでは、プランジャ（12’，12''）がシリンダ（11’，11''）内に完全に収容されるように設計されている。このような場合において、指用つば１６がシリンダ（11，11’，11''）の開放端１４に設けられていると、シリンジの操作性が著しく低下するおそれがある。図１〜図４に示すプレフィルドシリンジ（10，10’，10''）では指用つば１６がシリンダ（11，11’，11''）の略中間部に設けられていることから、プランジャ（12，12’，12''）が短く、たとえシリンダ内に完全に収容されるものであったとしても、その取扱性・操作性が損なわれることがない。
【００２６】
シリンダ１１を形成するのに用いられる材質としては、特に限定されるものではないが、例えばガラス；ポリプロピレン、ポリエチレン、環状ポリオレフィン、ポリビニルアルコール、ポリスチレン、各種エラストマー等の、医療用に許容された合成樹脂；ステンレスやアルミニウム等の金属等が挙げられる。
シリンダ１０は、収容されている薬液を目視することができるように、透明性を有するものであるのが好ましい。
【００２７】
また、収容されている薬液が酸素等のガスや水分等によって変質し易いものである場合には、それらのバリア性に優れた材質を用いてシリンダ１０を形成するのが好ましい。ガスバリア性や水分バリア性を有する材質としては、前記例示の材質中、ガラスやステンレス、アルミニウム等の金属が挙げられる。前記合成樹脂の中では、環状ポリオレフィン、ポリビニルアルコール等が、ガスバリア性や水分バリア性を有する材質として好適である。さらに、前記例示の合成樹脂に酸化ケイ素や酸化アルミニウムを蒸着したもの、上記のバリア性を有する樹脂を積層したもの、あるいはそれらの積層体も、ガスバリア性や水分バリア性を有する材質として好適である。収容されている薬液が光で分解し易いものである場合には、遮光フィルムを積層すればよい。
【００２８】
（プランジャ）
本発明に係るプレフィルドシリンジ（10，10’，10''）において、プランジャ１２，１２’の全長は特に限定されるものではないが、シリンジをより一層短く、コンパクトなものとするためには、プランジャ１２，１２’の全長を、シリンダ内に完全に収容される程度に短くすることが好ましい。
プランジャ１２，１２’の先端（ガスケット１３とは逆側の先端）に設けられる親指あて１７，１７’の形状、大きさ等については特に限定されるものではないが、前述のように、プランジャ１２，１２’をシリンダ（11，11’，11''）内に完全に収容させつつ、しかもシリンダ（11，11’，11''）にて繋止させるという目的を達成するには、親指あて１７，１７’をシリンダ（11，11’，11''）の内径よりもわずかに小さな円形にするのが好ましい。
【００２９】
プランジャ１２，１２’とシリンダ（11，11’，11''）との係合は、図２〜図４に示す形態によるものに限定されるものではなく、プランジャ１２，１２’がガスケット１３の反発力によって逆戻りしない程度にシリンダ（11，11’，11''）内で固定することができるのであれば、種々の形態を採用することができる。
また、プランジャ１２，１２’とシリンダ（11，11’，11''）との係合は、親指あて１７，１７’とシリンダ（11，11’，11''）の内周面に設けた突条・突起との係合によって達成するのに限定されるものではなく、プランジャ１２，１２’がガスケット１３の反発力によって逆戻りしない程度にシリンダ（11，11’，11''）内で固定することができるのであれば、係合の形態についても種々の形態を採用することができる。
【００３０】
プランジャ１２，１２’を形成するのに用いられる材質としては、特に限定されるものではないが、薬液の吐出操作の際に親指あて１７，１７’を介してプランジャ１２，１２’に荷重が加えられることから、かかる荷重に耐え得るものを用いることが求められる。このような用途に適した材質としては、例えばガラス；ステンレスやアルミニウム等の金属；ポリプロピレンやポリスチレン等の硬質合成樹脂などのように、各種の硬質材料が挙げられる。
【００３１】
（ガスケット）
ガスケット１３を形成するのに用いられる材質としては、従来公知の注射器、プレフィルドシリンジにおけるガスケットと同様に、天然ゴム、合成ゴム、各種エラストマー等が挙げられる。
ガスケット１３の形状については特に限定されるものではなく、従来公知の注射器等と同様にして設計すればよい。
【００３２】
（吐出口または針差込み穴）
シリンダ（11，11’，11''）の先端には、吐出口１５または注射針等の針を差し込むための穴（図示せず）が設けられる。
吐出口または針差込み穴の形状については特に限定されるものではなく、従来公知の注射器等と同様に、プレフィルドシリンジの用途等に応じて適宜設計すればよい。シリンダ（11，11’，11''）の先端に吐出口を設ける場合において、当該吐出口の形状には、通常の注射器等における吐出口と同様に、テーパ状のもの、ルアーロック型のもの等を採用することができる。
吐出口または針差込み穴は、通常、封止しておくのが好ましい。封止部材には、弾性キャップ、ルアーロック型キャップ、剥離フィルム等を、吐出口または針差込み穴やシリンジの用途等に応じて採用すればよい。
【００３３】
（収容薬液）
本発明のプレフィルドシリンジに収容される薬液としては特に限定されるものではなく、従来公知の種々の薬液が挙げられる。中でも、通常、プレフィルドシリンジの形態で供給されるビタミン類、微量元素類、ヘパリン、抗生物質、制癌剤等を収容する用途に好適である。
【００３４】
〔複室分離型プレフィルドシリンジ〕
本発明に係るプレフィルドシリンジ（複室分離型）は、例えば図５に示すように、
一方の端部が開放端３４で、他方の端部が吐出口３５（または針差込み穴）を有するシリンダ３１と、
シリンダ３１に開放端３４側から内挿されるプランジャ３２と、
プランジャ３２の先端にあってシリンダ３１を密閉しかつシリンダ３１内を摺動するガスケット３３と、
を備えており、
シリンダ３１の一方の端部から他方の端部までの長さが、シリンダ３１の外径の３倍以下であり、かつ、
シリンダ３１が、開放端３４側から、吐出口３５（または針差込み穴）の先端までに亘って連続する隔壁３９によって複数の室（３１ａ，３１ｂ）に仕切られてなるものである。
【００３５】
図６は、図５(a)に示す複率分離型プレフィルドシリンジ３０の断面図である。なお、図６(a) 〜(c) は、順に図５(a)のＡ−Ａ断面図、Ｂ−Ｂ断面図およびＣ−Ｃ断面図である。
前記複室分離型プレフィルドシリンジ３０によれば、図６(a) 〜(c) に示すように、薬液を収容する室３１ａ，３１ｂが吐出口３５の先端まで隔壁３９によって分離されていることから、プレフィルドシリンジ３０内で薬液を保存する際に薬液の混合を生じるおそれがない。それぞれの室（３１ａ，３１ｂ）に収容された薬液は、プランジャ３２をシリンダ３１内に押入して（図５(b) 参照）、シリンダ３１の吐出口３５から排出したときに互いに混合される。
【００３６】
図５に示す複室分離型プレフィルドシリンジ３０では、同図(b) に示すように、シリンダ３１の一方の端部から他方の端部までの長さＬ’が、シリンダ３１の外径Ｄ’に対して３倍以下となるように設計されている。前記長さＬ’と前記外径Ｄ’との比についての好適範囲、および長さＬ’と外径Ｄ’との比を上記範囲に設定したことによる効果は、前述の単室型プレフィルドシリンジの場合と同様である。
【００３７】
図５に示す複室分離型プレフィルドシリンジ３０のシリンジ３１では、同図(b) に示すように、プランジャ３２を押入したときに完全に収容されるように設計されており、しかも、開放端３４側の内周面において、プランジャ３２の親指あて３７を係合するための繋止用突条３８を備えている。
シリンジ３１がプランジャ３２を完全に収容し得る長さを備えることによる効果や、プランジャ３２が繋止用突条３８によって係合されて、シリンジ３１内に繋止されることによる効果は、前述の単室型プレフィルドシリンジの場合と同様である。
【００３８】
図５に示す複室分離型プレフィルドシリンジ３０のシリンジ３１においては、指用のつば３６が、シリンダ３１の軸方向ｘの略中間部における外周面に設けられている。指用のつば３６をシリンダ３１の軸方向ｘにおける略中間部に設けたことによる効果は、前述の単室型プレフィルドシリンジの場合と同様である。
複室分離型のプレフィルドシリンジ３０において、シリンダ３１、プランジャ３２およびガスケット３３を形成するのに用いられる材質や、吐出口３５（針差込み穴）の形状、吐出口３５や針差込み穴を封止するための封止部材としては、前述の単室型プレフィルドシリンジの場合と同様のものが挙げられる。
【００３９】
複室分離型のプレフィルドシリンジ３０のシリンダ３１における収容室３１ａ，３１ｂに収容される薬液としては、特に限定されるものではなく、前述の単室型プレフィルドシリンジの場合と同様のものが挙げられる。なお、複室分離型のプレフィルドシリンジ３０は、通常同時に投与される薬剤の組み合わせであって、混合した状態で保存すると変質等の問題を生じるものを収容するのに好適である。
【図面の簡単な説明】
【図１】本発明に係るプレフィルドシリンジの一実施形態を示す斜視図である。
【図２】  (a) は図１に示すプレフィルドシリンジ１０の正面図、(b) はその右側面図、(c) はシリンダ１１内にプランジャ１２を押入した状態を示す正面図、(d) はシリンダ１１とプランジャ１２とを分離した状態を示す正面図である。
【図３】単室型プレフィルドシリンジの設計変更例であって、プランジャ１２’をシリンダ１１’内に押入した状態を示す縦断面図である。
【図４】単室型プレフィルドシリンジの他の設計変更例であって、プランジャ１２''をシリンダ１１''内に押入した状態を示す縦断面図である。
【図５】本発明に係る複室分離型プレフィルドシリンジの一実施形態を示す縦断面図であって、(a) はプランジャ３２をシリンダ３１内に押入する前の状態、(b) はプランジャ３２をシリンダ３１内に押入した後の状態を示す。
【図６】  (a) は図５(a) のＡ−Ａ断面図、(b) は図５(a) のＢ−Ｂ断面図、(c) は図５(a) のＣ−Ｃ断面図である。
【図７】従来のプレフィルドシリンジの一例を示す斜視図である。
【図８】図７に示すプレフィルドシリンジ８０の正面図であって、(a) は使用前の状態を示し、(b) はプランジャ８２をシリンダ８１内に押入した状態を示す。
【図９】従来の２室分離型プレフィルドシリンダの一例を示す縦断面図である。
【符号の説明】
１０  プレフィルドシリンジ，  １１  シリンダ，  １２  プランジャ，  １３  ガスケット，  １４  開放端，  １５  吐出口，  １６  指用つば，  １８繋止用突条，  ３０  プレフィルドシリンジ（複室分離型），  ３１  シリンダ，  ３１ａ  室，  ３１ｂ  室，  ３２  プランジャ，  ３３  ガスケット，３４  開放端，  ３５  吐出口，  ３８  繋止用突条，  ３９  隔壁，  Ｄ  外径，  Ｌ  長さ，  ｘ  シリンダの軸方向，  ｙ  シリンダの周方向．
【図１】
0004656784.tif 000002
【図２】
0004656784.tif 000003
【図３】
0004656784.tif 000004
【図４】
0004656784.tif 000005
【図５】
0004656784.tif 000006
【図６】
0004656784.tif 000007
【図７】
0004656784.tif 000008
【図８】
0004656784.tif 000009
【図９】
0004656784.tif 000010